(57)【要約】【課題】  リューズと交換後のムーブメントとの間にずれが生じた場合にも容易に対処し、永年にわたって愛用されている腕時計の外装を引き続き使用できるようにする。【解決手段】  ケース２のうち少なくともリューズ３の軸４の通過孔が含まれる部分をケース２の胴部２ａに対し着脱可能な外胴部２ｂとし、尚かつ、この外胴部２ｂを、ケース２に収容されているムーブメント６に適合したリューズ軸４の通過孔を備えたものに取換可能としている。【選択図】        図１５
2006112832.tif 000002
【特許請求の範囲】
【請求項１】
ケースの側部にリューズを備えた腕時計において、前記ケースのうち少なくとも前記リューズの軸通過孔が含まれる部分を前記ケースの胴部に対し着脱可能な外胴部とし、尚かつ、この外胴部を、前記ケースに収容されているムーブメントに適合したリューズ軸通過孔を備えたものに取換可能としていることを特徴とする腕時計。
【請求項２】
前記ケースと前記ムーブメントとの間に枠体からなる中胴部を設け、文字盤をこの中胴部に取り付ける構造としていることを特徴とする請求項１に記載の腕時計。
【請求項３】
前記外胴部を前記ケースの胴部に取り付けるための外胴部固定用ねじが前記胴部の内側から当該外胴部に対してねじ込まれる構成となっていることを特徴とする請求項１または２に記載の腕時計。
【請求項４】
前記リューズのヘッド部を他の部材とは異なる異素材製とし、この異素材製ヘッド部を金属製のキャップ部と前記リューズの軸とで挟み込む構造としていることを特徴とする請求項１から３のいずれかひとつに記載の腕時計。
【請求項５】
前記外胴部にリューズガードを備えていることを特徴とする請求項１から４のいずれかひとつに記載の腕時計。
【請求項６】
前記ケースのうち前記外胴部とは反対側のパーツも前記ケースの胴部に対し着脱可能な外胴部にするとともにこれら一組の外胴部に共通のデザインを施していることを特徴とする請求項１から５のいずれかひとつに記載の腕時計。
【請求項７】
ケースの側部にリューズを備えた腕時計において、前記ケースのうち少なくとも前記リューズの軸通過孔が含まれる部分であって前記ケースの胴部に対し着脱可能とされ、尚かつ、前記ケースに収容されているムーブメントに適合したリューズ軸通過孔を備えたものに取換可能とされていることを特徴とする腕時計の外胴部。
【発明の詳細な説明】
【技術分野】
【０００１】
本発明は、腕時計およびその外胴部に関する。さらに詳述すると、本発明は、ケースの側部にリューズを備えた腕時計の外装の構造に関する。
【背景技術】
【０００２】
腕時計には種々のものがあり、中には数十年使われ続けるようなものもある。また、形見となるような思い入れの強い腕時計の中には百年を超えてなお使用され続けるものもある。
【０００３】
このように永年にわたって愛用され続ける（あるいは所有され続ける）場合、腕時計の構成部品が必要に応じて補修されたり交換されたりすることは多く、内部のムーブメントが交換に及ぶことも当然にある。このようにムーブメントを交換する場合、多くの腕時計メーカーは取換部品のストックを備え、必要部品に交換できるようにしていることが一般的であり、補修ないしは修理することによって当該腕時計は問題が生じる前の状態まで修復されてまた時を刻み続けることができるようになる（腕時計の一般的な構造として、例えば特許文献１参照）。
【０００４】
ところが、上述したようにメーカーが用意している正規のムーブメントに交換した場合であっても、つまり型番の同じ純正の部品に交換した場合であってもサイズや材質が異なることは起こりうる。また、上述したように製造後数十年あるいは百年を超えてからムーブメントを交換するような場合には、何らかの経時変化によって取付位置が微妙にずれるようなことも起こりうる。このような場合、リューズと交換後のムーブメントとを接続する際に僅かなずれが生じることも起こりうる。
【０００５】
【特許文献１】実開昭６３−７５８８９号公報
【発明の開示】
【発明が解決しようとする課題】
【０００６】
しかしながら、従来は、このように交換後のムーブメントとリューズとの間に僅かなずれが生じたとしてもこれを解消する手段がなかった。このため、せっかくムーブメントを交換してもこれに起因する不具合が生じることがありえた。上述したように、このような腕時計は一般に長期にわたり愛用されているものが多く、もっと長く使おうと思ってわざわざ補修したのにこれに起因して不具合が生じるようであっては所有者（愛用者）にとって酷である。また、このような不具合を除去するためにリューズまで取り換えたり外装を削ったりしなければならないとすれば所有者に余計な費用と時間を強いる結果となりかねない。
【０００７】
そこで、本発明は、リューズと交換後のムーブメントとの間にずれが生じた場合にも容易に対処し、永年にわたって愛用されている腕時計の外装を引き続き使用できるようにするための腕時計およびその外胴部を提供することを目的とする。
【課題を解決するための手段】
【０００８】
かかる目的を達成するため、請求項１に記載の発明は、ケースの側部にリューズを備えた腕時計において、ケースのうち少なくともリューズの軸通過孔が含まれる部分をケースの胴部に対し着脱可能な外胴部とし、尚かつ、この外胴部を、ケースに収容されているムーブメントに適合したリューズ軸通過孔を備えたものに取換可能としていることを特徴としているものである。
【０００９】
このような構造の腕時計においては、ムーブメントを交換した際にムーブメントとリューズとの間に僅かなずれが生じている場合、それまで取り付けられていたケース側部の外胴部を取り外し、交換後のムーブメントに適合したリューズ軸通過孔を備えた外胴部に取り換えることができる。こうすることによってムーブメント交換に起因して生じたずれを吸収することができる。
【００１０】
このような腕時計においては、ケースとムーブメントとの間に枠体からなる中胴部を設け、文字盤をこの中胴部に取り付ける構造としていることが好ましい。
【００１１】
また、外胴部をケースの胴部に取り付けるための外胴部固定用ねじが胴部の内側から当該外胴部に対してねじ込まれる構成となっていることも好ましい。
【００１２】
また、リューズのヘッド部を他の部材とは異なる異素材製とし、この異素材製ヘッド部を金属製のキャップ部とリューズの軸とで挟み込む構造としていることも好ましい。異素材としては例えばセラミックスなどを採用することができる。
【００１３】
さらには、外胴部にリューズガードを備えていることも好ましい。
【００１４】
加えて、ケースのうち外胴部とは反対側のパーツもケースの胴部に対し着脱可能な外胴部にするとともにこれら一組の外胴部に共通のデザインを施していることも好ましい。
【００１５】
また、請求項７に記載の腕時計の外胴部は、ケースの側部にリューズを備えた腕時計において、ケースのうち少なくともリューズの軸通過孔が含まれる部分であってケースの胴部に対し着脱可能とされ、尚かつ、ケースに収容されているムーブメントに適合したリューズ軸通過孔を備えたものに取換可能とされていることを特徴とするものである。
【発明の効果】
【００１６】
請求項１記載の腕時計によると、上述したようにムーブメントの交換に起因してリューズの軸の取付位置に変化が生じ、例えば腕時計の厚み方向にずれたとしても、当該交換後のムーブメントに適合したリューズの軸通過孔を備えた新しい外胴部に取り換えることによってこのようなずれを吸収することができ、これによってムーブメント以外のパーツをそのまま使用し続けることが可能となる。このため、特に長期にわたって使用されることが見込まれる腕時計、あるいはそれが目標とされる腕時計に適用した場合に、外装部品などムーブメント以外のパーツないしはケースをそのまま引き続き使用することが可能となるという利点がある。以上のことから、本発明によればリューズと交換後のムーブメントとの間にずれが生じた場合にも容易に対処することができるし、永年にわたって愛用されている腕時計の外装を引き続き使用することが可能となる。
【００１７】
しかも、本発明のように外胴部を着脱可能とした腕時計においては、当該外胴部を取り外して研磨ないしは掃除をすることができることから、例えば外胴部と胴部との接触部分に彫り込みや段差を設けるなど装飾的な凹状等の造形を施しているような場合であっても、当該凹み部分等に入り込んだ汚れなども容易にクリーニングすることができる。このため、腕時計を新品のように磨き上げることも容易である。
【００１８】
請求項２記載の腕時計によると、文字盤をムーブメントにではなくその周囲に設けられた枠体である中胴部に取り付ける構造としたことから、ムーブメントを取り換える際、文字盤は取り外すことなくムーブメントだけを交換することができる。このため、ムーブメントを交換することに起因して文字盤の取付位置が微妙にずれるといったおそれはなく、文字盤を引き続きそのまま使用することができるという利点がある。
【００１９】
請求項３記載の腕時計によると、外胴部固定用ねじを胴部の内側から当該外胴部に対してねじ込む構成としたことから、外胴部を胴部に取り付けた状態においてこれら外胴部固定用ねじやねじ孔が隠れてしまい外部から視認できなくなる。このため、例えば落ち着いたデザインが施された高級指向の腕時計の表面デザインとして好ましいものとすることができる。
【００２０】
請求項４記載の腕時計によると、リューズのうちユーザが指でつまんで回したり引っ張ったりするヘッド部分を例えばセラミックスといった異素材製としたことから、金属製である他の多くのリューズとは触感的あるいは視覚的に異なった印象を与えることができる。また、当該異素材製のヘッド部を金属製のキャップ部とリューズ軸とで挟み込むサンドイッチ構造としているため、例えばセラミックスの一部にねじ部を設けたような場合に比べて耐久性に優る。
【００２１】
請求項５記載の腕時計によると、外胴部に備えたリューズガードによってリューズを保護することができる。
【００２２】
請求項６記載の腕時計によると、上述の外胴部と対称となる位置に着脱可能なもう一つの外胴部を設け尚かつ同様のデザインとしたことから、これら左右一組の外胴部を同時に取り換えることによって腕時計の全体的な美観が損なわれないようにすることができる。
【００２３】
また、請求項７に記載の腕時計の外胴部は、請求項１の腕時計と同様の作用効果を奏することができる。すなわち、ムーブメントの交換に起因してリューズの軸の取付位置に変化が生じても、当該交換後のムーブメントに適合したリューズの軸通過孔を備えた新しい外胴部に取り換えることによってこのようなずれを吸収することができ、これによってムーブメント以外のパーツをそのまま使用し続けることが可能となる。したがって、このようにずれが生じた場合にも容易に対処することができるし、永年にわたって愛用されている腕時計の外装を引き続き使用することが可能となる。
【００２４】
しかも、本発明のように外胴部を着脱可能とした場合、当該外胴部を取り外して研磨ないしは掃除をすることができることから、例えば外胴部と胴部との接触部分に彫り込みや段差を設けるなど装飾的な凹状等の造形を施しているような場合であっても、当該凹み部分等に入り込んだ汚れなども容易にクリーニングすることができる。
【発明を実施するための最良の形態】
【００２５】
以下、本発明の構成を図面に示す実施の形態に基づいて詳細に説明する。
【００２６】
図１〜図１６に本発明の一実施形態を示す。本発明にかかる腕時計１はケース２の側部にリューズ３を備えたものであって、ケース２のうち少なくともリューズ３の軸４の通過孔５が含まれる部分をケース２の胴部２ａに対し着脱可能な外胴部２ｂとし、尚かつ、この外胴部２ｂを、ケース２に収容されているムーブメント６に適合したリューズ３の軸通過孔５を備えたものに取換可能としているものである。
【００２７】
まず本実施形態にかかる腕時計１の全体を図示して説明する（図１等参照）。本実施形態で例示する腕時計１は丸いケース（いわゆるラウンドケース）２からなるもので、このケース２にガラス（風防）１０、ベゼル１１、裏蓋１２などが取り付けられる。また、ケース２にはホーン（アタッチメントともいう）１３を介してベルト１４が取り付けられる（図１〜図３参照）。なお、本実施形態の腕時計１においては、左右のホーン１３に挟まれる形で中央アタッチメント１５が設けられている（図１参照）。この中央アタッチメント１５はケース２の胴部２ａに対して着脱可能なものであり、本明細書では詳しくは説明しないが、胴部２ａに設けられている取付孔１６（図２参照）にケース２の裏側から図示しない締結ピンを差し込むことにより、ベルト１４を構成する部品の一部と一緒にこの中央アタッチメント１５が胴部２ａに取り付けられるようになっている。これら各パーツを取り外した状態の胴部２ａは図２に示すように円形の枠体であり、この枠体の上下部分にアタッチメント部が取り付けられた構造となっている（図２参照）。
【００２８】
ケース２のうち、リューズ３の軸（以下「リューズ軸」とも呼ぶ）４を通過させるための通過孔５が含まれる部分は、ケース２の胴部２ａに対して着脱可能な外胴部２ｂとして構成されている（図１、図７参照）。本実施形態の場合には、図示するようにケース２の３時側にある側部の円弧状部分を外胴部２ｂとし、胴部２ａの側部に対して着脱可能な１つのパーツとして構成している。この場合、外胴部２ｂを胴部２ａに取り付けるための手段およびその構成としては種々の態様が考えられるが、本実施形態では外胴部固定用ねじ８（図１６参照）を用い、上下２個所でこの外胴部２ｂを胴部２ａに固定できるようにしている。
【００２９】
この際、本実施形態では、外胴部固定用ねじ８を胴部２ａの内側（内周面側）から外胴部２ｂにねじ込む構成とし、尚かつ、外胴部２ｂを貫通しないで途中で止まる長さ（深さ）のねじ孔１７を当該外胴部２ｂに設けることとしている（図７、図９、図１６等参照）。こうした場合には、外胴部２ｂを胴部２ａに取り付けた状態において取付手段（本実施形態であれば外胴部固定用ねじ８とねじ孔１７）が隠れてしまい外部から視認できなくなるため、例えば落ち着いたデザインが施された高級指向の腕時計１の表面デザインとして好ましいものとすることができる。胴部２ａのねじ孔１７と対応する部分には外胴部固定用ねじ８のねじ部が通過できる透孔１８が設けられている（図４、図１０、図１１参照）。また、この透孔１８の内周側には外周方向へと窪む凹部および座面（図面中ではこれらを符号１９で示す）が設けられており、外胴部固定用ねじ８の頭部がこの凹部内に収まるようになっている（図４、図１１参照）。
【００３０】
また、上述した外胴部２ｂにはリューズ３が収まる凹部２０が設けられている（図１等参照）。凹部２０が設けられることによって形成された上下の各凸部は、外部からの衝撃で破損しやすいリューズ３の内側のリューズ軸４や巻真パイプ２２を保護する役を担ういわゆるリューズガード９として機能するようになっている（図７、図８等参照）。このようなリューズガード９は外胴部２ｂの一部に形成されているものであるため、別の表現をすれば本実施形態の腕時計１においてはこのリューズガード９も着脱可能であるということができる。
【００３１】
さらに、この外胴部２ｂには、リューズ３の軸４の通過孔５が設けられている（図７、図８、図１２等参照）。この軸通過孔５の内側には図１５に示すように筒状の部材である巻真パイプ２２が設けられ、この巻真パイプ２２のさらに内側をリューズ軸４が通過する構造となっている（図１５参照）。リューズ軸４の端部には巻真が取り付けられている。特に詳しく図示していないが、巻真はこのリューズ軸４とムーブメント６とを接続するためのものであり、その一端がこのリューズ軸４の端部にねじで固定されている。ここで、本実施形態においては、この巻真パイプ２２のフランジ部分の外周面と外胴部２ｂの軸通過孔５の内周面とをろう付けすることによってこれら巻真パイプ２２と外胴部２ｂとを接合している（図１５参照）。こうした場合、リューズ軸４の軸受として機能する巻真パイプ２２の位置（例えば腕時計１の厚み方向の位置、あるいは腕時計１の円周方向の位置）はこの軸通過孔５の位置によって定まることとなる。
【００３２】
一方、胴部２ａには、巻真パイプ２２とリューズ軸４とが通り抜けるための透孔２１が設けられている（図５、図１５等参照）。ただし、この透孔２１と巻真パイプ２２との間には狭小ではあるが隙間が形成されるようになっている（図１５参照）。巻真パイプ２２と胴部２ａとの間には防水性を確保するため環状の巻真パイプ２２用パッキンが設けられている。
【００３３】
ここで、ケース２の胴部２ａに対して外胴部２ｂを着脱可能とした本実施形態の腕時計においては、軸通過孔５の位置を僅かに変える必要がある場合にこのようなことを比較的容易に実現することができるという利点がある。すなわち、軸通過孔５がケースに設けられている場合にはその位置をずらすことは困難を伴うが、本実施形態の腕時計１においては軸通過孔５が設けられている外胴部２ｂがケース本体（つまり胴部２ａ）に対して着脱可能なパーツとして構成されていることから、軸通過孔５の配置を異ならせた別のパーツを採用することによって当該軸通過孔５の配置を容易に変更することができる。したがって、例えば永年愛用されてきた腕時計１のムーブメント６を交換したがこれに伴って当該ムーブメント６とリューズ３との間にずれが生じて不具合が起こったような場合、軸通過孔５の配置が個々の製品（腕時計）に応じて最適化されたパーツ（外胴部２ｂ）に取り換えることによってこのような不具合を簡易かつ速やかに解決することができる。なお、上述したように着脱可能な外胴部２ｂをパーツとして取り扱う際の具体的態様としては、ユーザの需要を見込んで孔の配置を異ならせた複数種類のパーツ（外胴部２ｂ）を予め製造してストックしておくというスタイルをとることができるし、あるいは需要に応じて必要な形状のパーツ（外胴部２ｂ）を短期間で製造するといういわばオンデマンド供給といったスタイルを採ることもできる。
【００３４】
なお、ここまではケース２の３時側の一部を着脱可能とした態様について説明してきたが、これに加え、外胴部２ｂと対となる９時側の側部も胴部２ａに対して着脱可能な外胴部（符号２ｄで示す）とすることも好ましい。例えば３時側の外胴部２ｂを取り換えた場合、新しい外胴部２ｂと９時側のケース側部とで材質や表面処理あるいは細かな形状が異なることが生じうるが、このように９時側の側部も着脱可能とした場合であれば例えばこれら左右一組の外胴部２ｂ，２ｄに共通ないしは同一のデザインを施しておき、選択的に両者を同時に取り換えることをも可能としておくことによって、外胴部２ｂのみを取り換えた場合に全体的な美観が損なわれると感じるユーザが左右とも取り換える途を提供することが可能となる。本実施形態では、リューズ３が収まる凹部およびリューズガード９の有無以外は左右の外胴部２ｂ，２ｄの形状・大きさを同じものとし、腕時計１全体としての美観を損なわないように処理している（図１３参照）。
【００３５】
リューズ３は例えばゼンマイの巻き上げや時刻、日付の調整などに用いられる部品である。本実施形態のリューズ３は一般の腕時計と同様に３時の位置に配置されているが、例えば防水性を高めたスキューバモデルなどに見られるようにこれとは異なる位置（例えば２時や４時付近の位置）にリューズ３を配置することも可能である。このリューズ３はリューズ軸４の先端部分に取り付けられているもので、回転させることによってゼンマイを巻き上げたり引っ張り出すことによって時刻調整を行ったりするものであることは一般の腕時計とかわらない。ただし、本実施形態においてはこのリューズ３自体に構造的ないしは装飾的特徴を備えさせることとしている。
【００３６】
すなわち、本実施形態においてはまずリューズ３のうちユーザが指でつまんで回したり引っ張ったりする部分をセラミックス製とし、金属製である他の多くのリューズとは触感的あるいは視覚的に異なった印象を与えるものとしている。具体的には、リューズ３のつまみとなるヘッド部３ａをセラミックス製とし、このセラミックス製のヘッド部３ａを金属製のキャップ部３ｂと上述のリューズ軸４とで挟み込むサンドイッチ構造としている（図１５等参照）。ヘッド部３ａはリューズ３の外周の大部分を形成しており、ユーザがリューズ３を操作する際にはこのセラミックス製のヘッド部３ａをつまむようにして操作することになるため、金属の場合とは感触が異なり尚かつ滑りにくいといった利点がある。特に詳しく図示していないが本実施形態のヘッド部３ａの外周部分には滑り止めとして機能するローレットが形成されている。また、このヘッド部３ａの中央には透孔３ｃが設けられており、この透孔３ｃをキャップ部３ｂの一部およびリューズ軸４の一部が通過する構造となっている（図１５参照）。さらに、キャップ部３ｂの足部には孔が設けられて雌ねじが切られており、リューズ軸４の先端に切られている雄ねじがこの雌ねじにねじ込まれるようになっている。また、リューズ軸４の途中部分であって外胴部２ｂよりも外周側に飛び出た部分には、ヘッド部３ａを挟み付けるためのフランジ部４ａが形成されている（図１５参照）。したがって、リューズ軸４の先端にヘッド部３ａを装着し、その状態でキャップ部３ｂを回しながらリューズ軸４の先端に取り付けることによってヘッド部３ａを挟み付けて固定することができるようになっている。なお、ヘッド部３ａとキャップ部３ｂとの間には環状のキャップ用パッキン２３が設けられている（図１５参照）。このキャップ用パッキン２３は弾性を備えた部材であり、脆性部材であるヘッド部３ａに局所的な力が作用して割れたり欠けたりといったことが生じないよう力を適度に分散させるいわば緩衝部材として機能する。
【００３７】
なお、リューズ３のキャップ部３ｂのうち表面に表れる部分の形状や構造、デザインには限定されることなく腕時計１の性格や性能などに併せて種々のものとすることができるが、本実施形態では、図示するように「Ｍ」をかたどった溝（図１５においては符号３ｄで示す）を設け、デザイン性の高い加工を施すこととしている。また、このようにキャップ部３ｂに特殊あるいは個性的な造形を施した場合には、このキャップ部３ｂを締めたり緩めたりするための治具をこの造形に併せて形成した特殊なものとすることもできる。こうした場合、通常の工具ではキャップ部３ｂを取り付けたり取り外したりすることができず、ユーザないしは専門店が有する当該特殊な治具以外では操作できないこととなる。
【００３８】
裏蓋１２は腕時計１のケース２の裏側の蓋であり、機能的には一般の腕時計におけるものと特に変わるところがない（図３参照）。ただし、本実施形態においては上述したリューズ３のキャップ３ｂと同様、図示するように「Ｍ」をかたどった溝（図１４において符号１２ａで示す）を設け、デザイン性の高い加工を施すこととしている。また、このように裏蓋１２に特殊あるいは個性的な造形を施した場合には、上述したキャップ部３ｂの場合と同様、この裏蓋１２を締めたり緩めたりするための治具をこの造形に併せて形成した特殊なものとすることもできる。こうした場合、通常の工具では裏蓋１２を取り付けたり取り外したりすることができず、ユーザないしは専門店が有する当該特殊な治具以外では操作できないという、いわば記号化された機構が構築されることになる。なお、裏蓋１２と胴部２ａとの間には環状の裏蓋パッキン２６が設けられている（図１５、図１６参照）。
【００３９】
続いて、図１５、図１６等を用いて本実施形態の腕時計１の内部構造について以下に説明する（図１５等参照）。巻真パイプ２２の内側にはリューズ３とムーブメント６とを接続するリューズ軸４が軸方向（腕時計１における３時と９時の方向）に移動可能な状態で設けられている。また、巻真パイプ２２は軸通過孔５の内側に設けられ、尚かつこの巻真パイプ２２のフランジ部分の外周面と外胴部２ｂの軸通過孔５の内周面とがろう付けによって接合されているのは上述したとおりである（図１５参照）。防水性を確保するため、この巻真パイプ２２と胴部２ａとの間には環状の巻真パイプ用パッキン２４が設けられている（図１５、図１６参照）。リューズ軸４の途中部分には環状の凹部が形成されており、この環状凹部と巻真パイプ２２の内周面との間には防水性を確保するための巻真用パッキン２５が設けられている（図１５参照）。
【００４０】
また、胴部２ａの表面側にはベゼル１１が設けられ、その内側にガラス（風防）１０が設けられている（図１５、図１６等参照）。胴部２ａにベゼル１１を取り付けるための構造としては特に限定されることはないが、本実施形態においては胴部２ａにフランジを設け、ベゼル１１にはこの胴部２ａのフランジよりも僅かに小径のフランジを設け、胴部２ａ内にベゼル１１を嵌め込む構造としている（図１５参照）。胴部２ａとベゼル１１との間には環状のガラス縁パッキン２７が設けられる（図１５、図１６参照）。また、このベゼル１１にガラス１０を取り付けるための構造も特に限定されるものではないが、本実施形態においてはベゼル１１の内側に環状のガラスパッキン２８を介在させた状態でガラス１０を嵌め込む構造としている（図１５、図１６参照）。なお、ベゼル１１の内周側には段差１１ａが形成されており、この段差１１ａが形成された部分には環状の見返しリング２９が設けられている（図１５等参照）。見返しリング２９は図示するように内側に突出したフランジ部２９ａを有する形状であり、このフランジ部２９ａで文字盤７を引っ掛けて位置決めする役割を果たす（図１５等参照）。
【００４１】
また、本実施形態の腕時計１においては、ケース２とムーブメント６との間に枠体（本明細書ではこれを「中胴部」といい、符号２ｃで示す）を設け、文字盤７をこの中胴部２ｃに取り付ける構造としている。すなわち、環状の構造体である胴部２ａの内側に同じく環状である中胴部２ｃを設け、この中胴部２ｃに文字盤７を取り付けるようにしている（図１５等参照）。通常ないしは従来の腕時計の場合には文字盤はムーブメントに取り付けられているのが一般的といえるが、本実施形態においては、上述したようにムーブメント６を取り換えると同時に外胴部２ｂも取り換えられるようにして軸通過孔５の位置を微調整できる構造としたことから、文字盤７を枠体である中胴部２ｃに取り付けることとしている。つまり、ムーブメント６を取り換える際、文字盤７は取り外すことなくムーブメント６だけを交換できる構造としている。文字盤７がムーブメント６に取り付けられている構造の場合、ムーブメント６を交換することに起因して文字盤７の取付位置がずれてしまい場合によっては文字盤７がもはや使えなくなるというおそれもあるが、このようにムーブメント６にではなくその周囲に設けた中胴部２ｃに取り付けるようにした本実施形態の腕時計１によればそのようなおそれはなく、文字盤７を引き続きそのまま使用することができる。本実施形態では、文字盤７の裏面に等間隔で複数の足７ａを設け、これら足７ａを中胴部２ｃに設けられている取付孔に押し込む構造としている（図１５参照）。さらに本実施形態においては、時計組立や分解の際に見返しリング２９を確実に固定しておき、尚かつ分解する際には分解しやすくなるように下から押し上げて固定する構造としている。すなわち、中胴部２ｃと裏蓋１２との間にはこの中胴部２ｃをガラス１０の方へと押し上げるための中胴部押上げばね３０を設け、また中胴部２ｃと上述の見返しリング２９との間には見返しリング押上げ用パッキン３１を設け、見返しリング２９が、中胴部２ｃおよび見返しリング押上げ用パッキン３１を介してガラス１０の方へと押し上げられて胴部２ａへと押し付けられる構造としている（図１５、図１６参照）。見返しリング２９ががたつくと故障の原因ともなりかねないが、上記のような構造とした本実施形態の腕時計１によれば、使用中も見返しリング２９は確実に固定されるようになる。なお、図１５中における符号３２は秒針、３３は長針、３４は短針、３５は文字盤７上において３時を示す装飾部（つまりインデックスとなる略字部分）をそれぞれ示している。
【００４２】
以上説明した本実施形態の腕時計１によれば、ケース２のうち少なくともリューズ３の軸４の通過孔５が含まれる部分をケース２の胴部２ａに対し着脱可能な外胴部２ｂとして構成しているため、ムーブメント６の交換に起因してリューズ３の軸４の取付位置が例えば腕時計１の厚み方向にずれたとしても、当該交換後のムーブメント６に適合したリューズ３の軸通過孔５を備えた新しい外胴部２ｂに取り換えることによってこのようなずれを吸収し、ムーブメント６以外のパーツをそのまま使用し続けることができる。しかも、本実施形態においては対称となる９時側の外胴部２ｄを着脱可能とするとともにこの外胴部２ｂと同様のデザインとしたために、これら左右一組の外胴部２ｂ，２ｄを同時に取り換えることによって腕時計１の全体的な美観が損なわれることもないようにしている。以上のことから、１０年、２０年、さらには１００年超という長期にわたって使用されることが見込まれる腕時計１、あるいはそれが目標とされる腕時計１に適用することによって、外装部品など、ムーブメント６以外のパーツないしはケース２をそのまま引き続き使用することが可能となる。
【００４３】
加えて、本実施形態の腕時計１においては文字盤７をムーブメント６にではなくその周囲に設けられた枠体である中胴部２ｃに取り付ける構造としたことから、ムーブメント６を取り換える際、文字盤７は取り外すことなくムーブメント６だけを交換することができる。このため、ムーブメント６を交換することに起因して文字盤７の取付位置が微妙にずれるといったおそれはなく、文字盤７を引き続きそのまま使用することができる。
【００４４】
また、本実施形態のように外胴部２ｂを着脱可能とした腕時計１においては、当該外胴部２ｂを取り外して研磨ないしは掃除をすることができることから、例えば外胴部２ｂと胴部２ａとの接触部分に彫り込みや段差を設けるなど装飾的な凹状等の造形を施しているような場合であっても、当該凹み部分等に入り込んだ汚れなども容易にクリーニングすることができる。このため、腕時計１の全体を新品のように磨き上げることも容易である。
【００４５】
なお、上述の実施形態は本発明の好適な実施の一例ではあるがこれに限定されるものではなく本発明の要旨を逸脱しない範囲において種々変形実施可能である。例えば本実施形態では外胴部固定用ねじ８を胴部２ａの内側（内周面側）から外胴部２ｂにねじ込んで外胴部２ｂを本体側に引っ張り込み、尚かつ外銅部固定用ねじ８やそのねじ孔１７や透孔１８が外部から視認できない構造としたが、外胴部２ｂを胴部２ａに取り付けるための構成がこのようなものに限られるということではない。すなわち、上述したのは腕時計１の性格（例えばビジネスシーン向きの性格）に合わせるための構成の一例に過ぎないものであり、例えばスポーツ指向の腕時計１などであれば、本実施形態とは逆に外側から外胴部固定用ねじ８をねじ込む構造とし、意図的に外胴部固定用ねじ８を露出させたデザインとして動的イメージの強い装飾とすることなどもでき、要は、必要に応じて外胴部２ｂを取り外して取り換えることのできる構造であればよい。
【００４６】
また、本実施形態においてはリューズ３のうちユーザが指でつまんで回したり引っ張ったりする部分をセラミックス製とした形態について説明したが、これも好適な形態の一例に過ぎない。すなわち、ヘッド部３ａをセラミックス製とするのは好適例であり、この他、例えばガラスなどの脆性材、金・プラチナといった高額品、あるいは加工難度の高い材料など、リューズ３の本体とは異なる異素材のマテリアルでヘッド部３ａを形成することもできる。要は、本実施形態の場合にはヘッド部３ａをキャップ部３ｂとリューズ軸４とで挟み込むサンドイッチ構造としていることから、異素材によって形成されたヘッド部３ａであってもこれをリューズ３に組み付けやすく、したがって例えばセラミックスやガラス等のような脆性材であっても無駄なく無理なく使用できる点が特徴的である。
【図面の簡単な説明】
【００４７】
【図１】本発明にかかる腕時計の一実施形態を示す正面図である。
【図２】図１に示した腕時計から外胴部や中央アタッチメントを取り外した状態としてケース（胴部）のみを表したものである。
【図３】図１に示した腕時計の右側面図である。
【図４】図２に示した腕時計を拡大して示す半裁図であって、中央線よりも下に正面図、中央線よりも上に裏面図をそれぞれ表したものである。
【図５】図４に示した腕時計の右側面図であって、中央線よりも下に右側面からみた図、中央線よりも上にその裏側（左側面）からみた図をそれぞれ表したものである。
【図６】図４に示した腕時計の底面図である。
【図７】図４に示した腕時計の側部に配置される外胴部を示す正面図である。
【図８】図７に示した外胴部の右側面図である。
【図９】図７に示した外銅部のＯ−Ａ線における断面図である。
【図１０】外周側からみた胴部のカットモデルの斜視図である。
【図１１】内周側からみた胴部のカットモデルの斜視図である。
【図１２】外胴部の斜視図である。
【図１３】上述の外胴部と対となる９時側の外胴部の斜視図である。
【図１４】裏蓋の斜視図である。
【図１５】本実施形態の腕時計の内部構造を示す縦断面図である。
【図１６】本実施形態の腕時計の内部構造を示す図４に示したＯ−Ａ線における断面図である。
【符号の説明】
【００４８】
１  腕時計
２  ケース
２ａ  胴部
２ｂ  外胴部
２ｃ  中胴部
３  リューズ
４  リューズの軸
５  軸通過孔
６  ムーブメント
７  文字盤
８  外胴部固定用ねじ
９  リューズガード
【図１】
2006112832.tif 000003
【図２】
2006112832.tif 000004
【図３】
2006112832.tif 000005
【図４】
2006112832.tif 000006
【図５】
2006112832.tif 000007
【図６】
2006112832.tif 000008
【図７】
2006112832.tif 000009
【図８】
2006112832.tif 000010
【図９】
2006112832.tif 000011
【図１０】
2006112832.tif 000012
【図１１】
2006112832.tif 000013
【図１２】
2006112832.tif 000014
【図１３】
2006112832.tif 000015
【図１４】
2006112832.tif 000016
【図１５】
2006112832.tif 000017
【図１６】
2006112832.tif 000018